(57)【要約】【課題】偏向ヨークに用いられる銅線の使用量を少なくして偏向ヨークを低価格化する。【解決手段】偏向ヨーク３０は、サドル型の水平偏向コイル３２と、垂直偏向コイル３４と、水平偏向コイル３２に対してファンネル１２とは反対側に配置されたフェライトコア３６とを備える。フェライトコア３６の小径側円筒部を通る管軸と直交する断面において、ファンネル１２のネック部１３の外周面で囲まれた領域の面積Ｓｎに対する水平偏向コイル３２の断面積Ｓｈの比Ｓｈ／Ｓｎが０．１＜Ｓｈ／Ｓｎ＜０．１７を満足し、且つ、フェライトコア３６の内周面の半径をＲｃ、ネック部１３の外周面の半径Ｒｎとしたとき７ｍｍ≦Ｒｃ−Ｒｎ≦９．４５ｍｍを満足する。【選択図】図７
2007328959.tif 000002
【特許請求の範囲】
【請求項１】
内面に略矩形状の蛍光体スクリーンが形成されたパネルと、前記パネルに接合されたファンネルと、前記ファンネルのネック部内に収納され、前記蛍光体スクリーンに向かって３電子ビームを発射する電子銃と、前記蛍光体スクリーンに対向して前記パネルの内壁に保持されたシャドウマスクと、前記蛍光体スクリーンの中央での色純度と色ずれとを調整する前記ネック部の外周面上に配置された複数のマグネットリングと、前記ファンネルの外周面上に搭載された偏向ヨークとを備えた陰極線管装置であって、
前記偏向ヨークは、前記３電子ビームを水平方向に偏向するサドル型の水平偏向コイルと、前記３電子ビームを垂直方向に偏向する垂直偏向コイルと、前記水平偏向コイルに対して前記ファンネルとは反対側に配置されたフェライトコアとを備え、
前記フェライトコアの小径側円筒部を通る管軸と直交する断面において、前記ネック部の外周面で囲まれた領域の面積Ｓｎに対する前記水平偏向コイルの断面積Ｓｈの比Ｓｈ／Ｓｎが０．１＜Ｓｈ／Ｓｎ＜０．１７を満足し、且つ、前記フェライトコアの内周面の半径をＲｃ、前記ネック部の外周面の半径をＲｎとしたとき７ｍｍ≦Ｒｃ−Ｒｎ≦９．４５ｍｍを満足することを特徴とする陰極線管装置。
【発明の詳細な説明】
【技術分野】
【０００１】
本発明は陰極線管装置に関する。特に偏向ヨークの水平偏向コイルが小型軽量化されたインライン型カラー陰極線管装置に関する。
【背景技術】
【０００２】
インライン型カラー陰極線管に搭載される偏向ヨークの水平偏向コイルの管軸方向長さは、一般に、コンバーゼンスとラスター歪との両立を図るために、組み合わされる陰極線管の画面対角サイズが大きくなるにしたがって長くなる（図１１参照）。このため、水平偏向コイルに使用される銅線の量も陰極線管の画面対角サイズが大きくなるにしたがって重くなる（図１２）。
【０００３】
しかしながら、ここ数年、銅材料の高騰による偏向ヨークの価格の急激な上昇と、地球環境を考慮した省資源との観点から、銅線の使用量を少なくすることが要求されている。
【０００４】
これに対応するためは、偏向ヨークを小型軽量化することが必要である。
【０００５】
陰極線管のファンネルのコーン部の内面形状は、最外ビーム軌道に対して距離的に余裕を持たせた形状に形成するのが一般的であるが、非特許文献１には、最外ビーム軌道に沿った形状に形成することにより、ファンネルのコーン部の外径、水平偏向コイルの内径及び外径、さらにフェライトコアの内径及び外径を小さくして、偏向ヨークを軽量化することが記載されている。
【０００６】
当時の画面対角サイズ２９”、偏向角１１０度、ファンネルのネック部外径φ２９．１ｍｍのカラー陰極線管用偏向ヨークと比較すると、非特許文献１の設計に基づけば、管軸上の偏向磁界がピークとなる位置付近での管軸と直交する方向の偏向ヨークの寸法を小さく出来ることにより、偏向パワーを約９％低減でき、重量を約３８％軽量化できる。更に、水平偏向コイルも、管軸と直交する方向の寸法を小さく出来ることにより４０ｇ（約２０％）軽量化することが出来る。
【非特許文献１】J.Gross，W.H.Barkow、「DEFLECTION-YOKE DESIGN FOR THE COTY-29 COLOR-PICTURE TUBE DISPLAY SYSTEM」、Manuscript received June 11,1983、IEEE p.486-491
【発明の開示】
【発明が解決しようとする課題】
【０００７】
しかしながら、上記非特許文献１では、コイルの断面積については従来の設計と何ら変わりはなく、銅線の使用量を少なくするという観点からは不十分であった。
【０００８】
本発明は上記の従来の問題点に鑑みてなされたもので、偏向ヨークに用いられる銅線の使用量が少なく、軽量化された低価格の偏向ヨークを備えた陰極線管装置を提供することを目的とする。
【課題を解決するための手段】
【０００９】
本発明の陰極線管装置は、内面に略矩形状の蛍光体スクリーンが形成されたパネルと、前記パネルに接合されたファンネルと、前記ファンネルのネック部内に収納され、前記蛍光体スクリーンに向かって３電子ビームを発射する電子銃と、前記蛍光体スクリーンに対向して前記パネルの内壁に保持されたシャドウマスクと、前記蛍光体スクリーンの中央での色純度と色ずれとを調整する前記ネック部の外周面上に配置された複数のマグネットリングと、前記ファンネルの外周面上に搭載された偏向ヨークとを備える。
【００１０】
前記偏向ヨークは、前記３電子ビームを水平方向に偏向するサドル型の水平偏向コイルと、前記３電子ビームを垂直方向に偏向する垂直偏向コイルと、前記水平偏向コイルに対して前記ファンネルとは反対側に配置されたフェライトコアとを備える。
【００１１】
前記フェライトコアの小径側円筒部を通る管軸と直交する断面において、前記ネック部の外周面で囲まれた領域の面積Ｓｎに対する前記水平偏向コイルの断面積Ｓｈの比Ｓｈ／Ｓｎが０．１＜Ｓｈ／Ｓｎ＜０．１７を満足し、且つ、前記フェライトコアの内周面の半径をＲｃ、前記ネック部の外周面の半径をＲｎとしたとき７ｍｍ≦Ｒｃ−Ｒｎ≦９．４５ｍｍを満足する。
【発明の効果】
【００１２】
本発明によれば、コンバーゼンス及びラスター歪や温度上昇に関して従来と同等の特性を維持しながら、水平偏向コイルの断面積を縮小化することができる。従って、水平偏向コイルの軽量化、即ち巻線の使用量の低減が可能となり、偏向ヨークの低価格化を実現することができる。
【発明を実施するための最良の形態】
【００１３】
以下、本発明を図面を参照しながら説明する。
【００１４】
図１は、本発明の一実施形態に係るカラー陰極線管装置１の概略構成を示した半断面図である。以下の説明の便宜のために、管軸をＺ軸、水平方向（蛍光体スクリーンの長辺方向）軸をＸ軸、垂直方向（蛍光体スクリーンの短辺方向）軸をＹ軸とする。Ｘ軸とＹ軸とはＺ軸上にて直交する。図１では、Ｚ軸より上側に断面図を、下側に外観図をそれぞれ示している。
【００１５】
図１に示すように、このカラー陰極線管装置１は、カラー陰極線管１０、偏向ヨーク３０、及びＣＰＵ（Convergence Purity Unit）４０等から成る。
【００１６】
カラー陰極線管１０は、フェースパネル１１とファンネル１２とが接合されてなるガラスバルブと、この内部に収納されたシャドウマスク１５及びインライン型電子銃（以下、単に「電子銃」と言う。）１６を備える。
【００１７】
略矩形状のフェースパネル１１の外面は平面又は所定の曲面に形成され、その内面は所定の曲面に形成されている。フェースパネル１１の内面には、赤、緑、青の各蛍光体ドット（又は蛍光体ストライプ）が規則正しく配列されてなる略矩形状の蛍光体スクリーン１４が形成されている。シャドウマスク１５は蛍光体スクリーン１４に対して略一定間隔だけ離間して、パネル１１の内壁面に保持されている。シャドウマスク１５はドット形状又はスロット形状の多数の電子ビーム通過孔がエッチングにより形成された金属板からなる。
【００１８】
電子銃１６は、ファンネル１２のネック部１３の内部に配設されている。この電子銃１６は、水平軸（Ｘ軸）上にインライン配列された３本の電子ビーム、すなわち、中央のセンター電子ビーム１８Ｇと、このセンター電子ビーム１８Ｇに対してＸ軸方向において両側に配置された一対のサイド電子ビーム１８Ｒ，１８Ｂとを、蛍光体スクリーン１４に向かって出射する（３本の電子ビームはＸ軸と平行な一直線上に配列されるため、図では手前の１本の電子ビームのみが示されている）。電子銃１６から出射された３本の電子ビーム１８Ｒ，１８Ｇ，１８Ｂは、シャドウマスク１５に設けられた電子ビーム通過孔を通過して所望する蛍光体を照射する。
【００１９】
図２は、本発明の一実施形態に係るカラー陰極線管装置に搭載される偏向ヨーク３０の斜視図である。偏向ヨーク３０は、ファンネル１２の径大部からネック部１３に至る部分の外周面上に設けられている。偏向ヨーク３０はサドル型の水平偏向コイル３２とトロイダル型の垂直偏向コイル３４とを主偏向コイルとして備えるサドル−トロイダル型偏向ヨークである。垂直偏向コイル３４はフェライトコア（以下、単に「コア」という）３６に巻回されている。コア３６は、蛍光体スクリーン１４側で径が大きく、電子銃１６側で径が小さな略漏斗形状を有しており、垂直偏向コイル３４が発生する垂直偏向磁界及び水平偏向コイル３２が発生する水平偏向磁界の磁気効率を向上させる。コア３６は、その小径側端の近傍に、その内径がＺ軸方向においてほぼ一定である円筒部を有している。この円筒部は、偏向ヨーク３０がカラー陰極線管１０に搭載されたときに、その外径がＺ軸方向において一定であるファンネル１２のネック部１３に対向する。垂直偏向コイル３４及びコア３６とこれらよりファンネル１２側（内側）に配置された水平偏向コイル３２との間には、樹脂枠（セパレータ）３８が設けられている。樹脂枠３８は、水平偏向コイル３２と垂直偏向コイル３４との間の電気的な絶縁状態を維持すると共に、両偏向コイル３２，３４を支持する役割を果たしている。
【００２０】
電子銃１６から射出された３本の電子ビーム１８Ｒ，１８Ｇ，１８Ｂは、水平偏向磁界及び垂直偏向磁界により水平方向及び垂直方向に偏向されて、蛍光体スクリーン１４上をラスタースキャン方式で走査する。また、水平偏向磁界及び垂直偏向磁界により形成される非斉一磁界により、３本の電子ビーム１８Ｒ，１８Ｇ，１８Ｂは蛍光体スクリーン１４の全面においてコンバーゼンスされる。
【００２１】
ＣＰＵ４０は、ネック部１３の外周面上に、電子銃１６とＺ軸方向において重複する位置に設けられており、画面中央部における３電子ビーム１８Ｒ，１８Ｇ，１８Ｂの静コンバーゼンス（色ずれ）調整およびピュリティー（色純度）調整を行なう。ＣＰＵ４０は、円筒形をした樹脂製のホルダー４２に取り付けられたピュリティー（色純化）磁石４４、４極磁石４６、及び６極磁石４８を備える。ピュリティー磁石４４、４極磁石４６、及び６極磁石４８は、いずれも円環状をした２枚の磁石１組で構成されている。
【００２２】
図３は、コア３６の小径側の円筒部を通るＺ軸と直交する平面における水平偏向コイル３２の断面図である。水平偏向コイル３２はＸ軸及びＺ軸を含む面（ＸＺ面）を挟んで両側に配置される一対のコイルからなる。一対のコイルはＸＺ面に対して対称であるので、図３ではＸＺ面に対して上側部分のみを図示している。図３において、曲線３２ａは水平偏向コイル３２の巻線を内包する外形状を示す。サドル型の水平偏向コイル３２は、一般にコイル状に巻回した巻線を金型を用いてプレス成形することにより製造される。図３の曲線３２ａはこの金型の内面形状と一致する。
【００２３】
一般に、コア３６の小径側の円筒部を通るＺ軸と直交する断面において、水平偏向コイル３２の内周面は、Ｚ軸上に中心を持つ単一半径ｒ１の円弧で表される。この半径ｒ１は、円筒面であるネック部１３の外周面の半径Ｒｎのばらつき及びネック部１３に巻装されるテープ厚みを考慮して、半径Ｒｎより大きく設定される。また、水平偏向コイル３２の外周面は、Ｚ軸よりもＹ軸に沿って距離ｌだけ離れたＹ軸上の位置に中心を持つ（即ち、上記半径ｒ１の円弧に対して距離ｌだけ偏心した）半径ｒ２の円弧で表される。水平偏向コイル３２は、Ｙ軸及びＺ軸を含む面（ＹＺ面）及びその近傍（巻線の巻き始め側）に、巻線が存在しない、Ｘ軸方向幅がＷＤの窓部３２ｂを有している。また、水平偏向コイル３２のＸＺ面側（巻線の巻き終わり側）端は、プレス成形によりＸＺ面からＹ軸方向に距離ｔだけ離間している。以上の寸法ｒ１，ｒ２，ｌ，ＷＤ／２，ｔを適切に設定して水平偏向コイル３２の厚み（Ｚ軸に直交する方向に沿った寸法）分布及び水平偏向磁界の歪みを調整することにより、所望のコンバーゼンス特性とラスター歪み特性を得ることができる。
【００２４】
上記寸法ｒ１，ｒ２，ｌ，ＷＤ／２，ｔによって決定される第１象限内の水平偏向コイル３２の断面積Ｓｈ’（図４参照）は、陰極線管のサイズに関わらず水平偏向コイル３２の厚み分布の調整を容易にするために、３０〜５０ｍｍ2内のほぼ一定値に設計されるのが一般的である。
【００２５】
一般に、上記断面積Ｓｈ’は、主に陰極線管のネック部１３の外径により変わる。このため、本発明では、ネック部１３の外周面で囲まれた領域の面積Ｓｎに対する水平偏向コイルの断面積Ｓｈの比Ｓｈ／Ｓｎに着目する。コア３６の小径側の円筒部を通るＺ軸と直交する断面におけるファンネル及び偏向ヨークの形状は、Ｘ軸及びＹ軸に対して対称である。従って、水平偏向コイル３２の断面積Ｓｈと第１象限内の水平偏向コイル３２の断面積Ｓｈ’との間にＳｈ＝４×Ｓｈ’の関係があり、また、ネック部の外周面で囲まれた領域の面積Ｓｎとこの領域の第１象限内の面積Ｓｎ’（図４参照）との間にＳｎ＝４×Ｓｎ’の関係がある。従って、Ｓｈ／Ｓｎ＝Ｓｈ’／Ｓｎ’である。
【００２６】
従来は、水平偏向磁界分布の調整の容易さや水平偏向コイル３２の巻線の巻き始め時の作業性などを考慮して、比Ｓｈ／Ｓｎは０．１８以上０．４以下に設定されるのが一般的であった。
【００２７】
実際には、偏向ヨークの小径側端と大径側端との間で所望の歪み（例えば、ピンクッション型歪み又はバレル型歪み）を有する偏向磁界が形成されるように、水平偏向コイル３２の断面積を一定に保ちながら、Ｚ軸上の各位置での断面における水平偏向コイル３２の断面形状が調整される。
【００２８】
本発明では、水平偏向コイル３２の水平偏向磁界分布を基本的に従来と同じにしながら、水平偏向コイル３２を薄肉化し軽量化している。即ち、コア３６の小径側の円筒部を通るＺ軸と直交する平面における水平偏向コイル３２の断面形状は、従来は図５においてＹ軸に対して右側に示すように寸法ｒ１，ｒ２，ｌ，ＷＤ／２，ｔにより定義されていたのに対して、本発明では図５においてＹ軸に対して左側に示すように寸法ｒ１，ｒ２’，ｌ’，ＷＤ’／２，ｔ’により定義される。ここで、ｒ２’＜ｒ２、ｌ’＞ｌ、ｔ’＞ｔである。この結果、本発明では、ネック部の外周面で囲まれた領域の面積Ｓｎに対する水平偏向コイルの断面積Ｓｈの比Ｓｈ／Ｓｎが０．１＜Ｓｈ／Ｓｎ＜０．１７を満足する。
【００２９】
しかしながら、水平偏向コイル３２を薄肉化すると、自己放熱特性が悪化し、水平偏向コイル３２の温度上昇が大きくなるという課題が新たに発生する。
【００３０】
本発明者は、一般的に用いられている線径φ０．３５ｍｍ〜φ０．３７ｍｍの銅線を用いて水平偏向コイル３２の断面積Ｓｈ’（＝Ｓｈ／４）のみを変えたときの水平偏向コイル３２の温度上昇ΔＴを実験により測定した。その結果、図６に示すように断面積Ｓｈ’が３０ｍｍ2より小さくなると規定の温度上昇の上限を超えることが分かった。
【００３１】
水平偏向コイル３２の温度上昇に対して、巻線の素線径を小さくする方法が知られている。しかしながら、素線径を小さくすると、巻線である銅線の価格が上昇すること、及び水平偏向周波数が１５．７５ＫＨｚのＴＶ周波数においては素線径変更による温度上昇の抑制効果が顕著に現れないという問題がある。
【００３２】
一方、水平偏向コイル３２の温度上昇は、偏向感度を向上させることで偏向電流を小さくすることによっても低減できる。本発明ではこれに着目し、断面積Ｓｈ’を小さくすると同時にコア３６の内周面の半径Ｒｃ（図７参照）をも小さくすることで偏向感度を向上させる。これにより、水平偏向パワーを減少させることができるので、水平偏向コイル３２の断面積Ｓｈ’を小さくすることによって増加する温度上昇をキャンセルすることができる。
【００３３】
本発明者は、水平偏向コイル３２が薄肉化された陰極線管装置において、水平偏向コイル３２の断面積Ｓｈ’を一定にした状態で、コア３６の内径を変えると水平偏向パワーがどのように変化するかを実験により測定した。結果を図８に示す。横軸はコア３６の内周面の半径Ｒｃの変化量ΔＲｃである。縦軸は水平偏向パワーＬＩ2（Ｌは水平偏向コイル３２のインダクタンス、Ｉはこれを流れる電流）であり、変化量ΔＲｃが０ｍｍのときを１００％とした相対値で示している。図８より、コア３６の内周面の半径Ｒｃを１ｍｍ縮小すると（例えば、変化量ΔＲｃが３ｍｍから２ｍｍに変化すると）、水平偏向パワーは６〜８％減少する（変更前の９２〜９４％に減少する）ことが分かる。
【００３４】
また、コアの内周面の半径Ｒｃが一定でも、水平偏向コイル３２を薄肉化すると水平偏向コイル３２の実効半径が小さくなるので、水平偏向パワーが減少する。一般的な陰極線管装置についての計算結果を図９に示す。横軸は水平偏向コイル３２の外周面の半径ｒ２の変化量Δｒ２である。縦軸は、図８と同様に、水平偏向パワーＬＩ2であり、変化量Δｒ２が０ｍｍのときを１００％とした相対値で示している。図９より、水平偏向コイル３２の外周面の半径ｒ２を０．２ｍｍ縮小すると、水平偏向パワーは約９９％に減少することが分かる。
【００３５】
以上より、水平偏向コイル３２を薄肉化し、且つコア３６の内周面の半径Ｒｃを小さくした場合の水平偏向パワーは、水平偏向コイル３２の薄型化による寄与と、コア３６の内周面の半径Ｒｃの減少による寄与との掛け算により求めることができる。
【００３６】
例えば、第１象限内の断面積Ｓｈ’が４０ｍｍ2である従来の水平偏向コイル３２を薄肉化して、その第１象限内の断面積Ｓｈ’を２５ｍｍ2（約３７％減少）に小さくする場合を考える。この場合、水平偏向コイル３２の外周面の半径ｒ２は約０．７４ｍｍだけ小さくなるから、コア３６の内周面の半径Ｒｃも０．７４ｍｍだけ小さくすることができる。この場合には、水平偏向コイル３２の外周面の半径ｒ２の減少と、コア３６の内周面の半径Ｒｃの減少との相乗効果により、水平偏向パワーは平均９２％に減少する。
【００３７】
第１象限内の断面積Ｓｈ’が２５ｍｍ2付近である水平偏向コイル３２の水平偏向パワーＬＩ2と水平偏向コイル３２の温度上昇ΔＴとの関係を実験により求めた。結果を図１０に示す。水平偏向パワーが９２％に減少すると、水平偏向コイル３２の温度上昇ΔＴを６℃低下させることができる。水平偏向コイル３２の断面積を小さくすると図６に示したように水平偏向コイル３２の温度上昇ΔＴが大きくなる。本発明は、この温度上昇の増加を、水平偏向コイル３２を薄肉化し且つコア３６の内周面の半径Ｒｃを小さくすることで水平偏向感度を向上させ水平偏向パワーを減少させることによりキャンセルしている。その結果、水平偏向コイル３２の温度上昇を招くことなく、水平偏向コイル３２の軽量化、即ち銅線の使用量を少なくすることが可能となり、低価格化を実現できる。
【００３８】
コア３６の内径はファンネル１２の外径によって変わる。
【００３９】
従来、コア３６の小径側円筒部を通るＺ軸と直交する断面において、コア３６の内周面の半径をＲｃ、ファンネル１２のネック部１３の外周面の半径をＲｎとしたとき、水平偏向コイル３２の厚み、樹脂枠３８の厚みｔ１（図７参照）、垂直偏向コイル３４の厚みｔ２（図７参照）、及びコア３６の加工ばらつきなどを考慮して、９．５ｍｍ≦Ｒｃ−Ｒｎ≦１０．５ｍｍを満足するように設計されていた。
【００４０】
これに対して、本発明では、コア３６の小径側円筒部を通るＺ軸と直交する断面において、７ｍｍ≦Ｒｃ−Ｒｎ≦９．４５ｍｍを満足する。
【００４１】
本発明では、水平偏向コイル３２の断面積Ｓｈを小さくしたことにより樹脂枠３８の外径を小さくすることができる。従って、ファンネル１２のネック部１３の外周面の半径Ｒｎが同じであっても、コア３６の内周面の半径Ｒｃを小さくすることができる。その結果、水平偏向パワーを減少させることができ、水平偏向コイル３２の温度上昇を抑えることができる。
【実施例】
【００４２】
画面対角サイズが２１”、画面アスペクト比が４：３、偏向角が９０°、ネック部外径がφ２９．１ｍｍのインライン型カラー陰極線管装置についての実施例を以下に示す。
【００４３】
本実施例に係るカラー陰極線管装置の概略構成は図１に示した通りであり、偏向ヨーク３０の概略構成は図２に示した通りとした。比較例として、水平偏向コイル３２が薄肉化されていない従来の偏向ヨーク３０を用いた以外は実施例と同じカラー陰極線管装置を作成した。
【００４４】
実施例及び比較例についての、コア３６の小径側円筒部を通るＺ軸と直交する断面における水平偏向コイル３２の各部寸法（図３参照）、水平偏向コイル３２の第１象限内の断面積（図４参照）、ネック部１３の外周面で囲まれた領域の第１象限内の面積（図４参照）、コア３６の内周面の半径（図７参照）、及びネック部１３の外周面の半径Ｒｎ（図７参照）を表１に示す。断面積については比較例を１００としたときの相対値をかっこ内に併せて示す。
【００４５】
【表１】
2007328959.tif 000003
【００４６】
実施例及び比較例の各水平偏向コイル３２についての水平偏向パワーＬＩ2、温度上昇ΔＴ、重量を表２に示す。水平偏向パワーは比較例を１００（％）としたときの相対値で示してある。また、重量については比較例を１００としたときの相対値をかっこ内に併せて示す。
【００４７】
【表２】
2007328959.tif 000004
【００４８】
表２に示されるように、本発明に対応する実施例では、温度上昇を比較例と同等に抑えながら偏向感度を向上させることで水平偏向パワーを減少させることができるので、比較例に比べて水平偏向コイル３２を軽量化することができた。その結果、温度特性やコンバーゼンス及びラスター歪などの諸特性が比較例とほとんど変わることなく、水平偏向コイル３２の断面積を縮小化することにより巻線の使用量を低減することができ、偏向ヨークの低価格化を実現することができた。
【産業上の利用可能性】
【００４９】
本発明の利用分野は特に制限はなく、コンバーゼンス及びラスター歪や温度上昇に関して従来と同等の特性を維持しながら安価な偏向ヨークが搭載された陰極線管装置として広く利用することができる。
【図面の簡単な説明】
【００５０】
【図１】図１は、本発明の一実施形態に係るカラー陰極線管装置の概略構成を示す半断面図である。
【図２】図２は、本発明の一実施形態に係るカラー陰極線管装置に搭載される偏向ヨークの斜視図である。
【図３】図３は、コアの小径側円筒部を通る管軸と直交する平面での水平偏向コイルの断面図である。
【図４】図４は、コアの小径側円筒部を通る管軸と直交する断面での面積Ｓｈ’，Ｓｎ’を示した図である。
【図５】図５は、コアの小径側円筒部を通る管軸と直交する断面での本発明の水平偏向コイルと従来の水平偏向コイルとを比較した図である。
【図６】図６は、水平偏向コイルの断面積Ｓｈ’と水平偏向コイルの温度上昇との関係を示した図である。
【図７】図７は、本発明の一実施形態に係るカラー陰極線管装置に搭載される偏向ヨークの、コアの小径側円筒部を通る管軸と直交する平面での断面図である。
【図８】図８は、水平偏向コイルの断面積が一定という条件下での、コアの内周面の半径の変化量と水平偏向パワーとの関係を示した図である。
【図９】図９は、コアの内周面の半径が一定という条件下での、水平偏向コイルの外周面の半径の変化量と水平偏向パワーとの関係を示した図である。
【図１０】図１０は、水平偏向パワーと水平偏向コイルの温度上昇との関係を示した図である。
【図１１】図１１は、陰極線管の画面対角サイズと従来の偏向ヨークの水平偏向コイルの管軸方向長さとの関係を示す図である。
【図１２】図１２は、陰極線管の画面対角サイズと従来の偏向ヨークの水平偏向コイルの重量との関係を示す図である。
【符号の説明】
【００５１】
１  カラー陰極線管装置
１０  カラー陰極線管
１１  フェースパネル
１２  ファンネル
１３  ネック部
１４  蛍光体スクリーン
１５  シャドウマスク
１６  電子銃
１８Ｒ，１８Ｇ，１８Ｂ  電子ビーム
３０  偏向ヨーク
３２  水平偏向コイル
３４  垂直偏向コイル
３６  コア
３８  樹脂枠
４０  ＣＰＵ
４２  ホルダー
４４  ピュリティー（色純化）磁石
４６  ４極磁石
４８  ６極磁石
【図１】
2007328959.tif 000005
【図２】
2007328959.tif 000006
【図３】
2007328959.tif 000007
【図４】
2007328959.tif 000008
【図５】
2007328959.tif 000009
【図６】
2007328959.tif 000010
【図７】
2007328959.tif 000011
【図８】
2007328959.tif 000012
【図９】
2007328959.tif 000013
【図１０】
2007328959.tif 000014
【図１１】
2007328959.tif 000015
【図１２】
2007328959.tif 000016